(57)【要約】組立体及びこのような組立体を有する光学式再生装置。組立体は、繊細なエレメントが設けられたコンポーネントが設けられ、当該コンポーネントは基部に接続される。基部は、コンポーネントを支持する細長い支持表面を有し、コンポーネントが上記支持表面に上記繊細なエレメントを除いた側部にのみ接続されるようにする。繊細なエレメントとは、たとえば鏡である。
2007513449.tif 000002
【特許請求の範囲】
【請求項１】
繊細部を設けたコンポーネントを有する組立体であって、当該コンポーネントは該コンポーネントを支持する細長い支持表面を備える基部に接続し、当該コンポーネントは前記支持表面に前記繊細なエレメントから離れた側部にのみ接続することを特徴とする、ところの組立体。
【請求項２】
前記コンポーネントは接着剤によって前記基部に接続されることを特徴とする、請求項１記載の組立体。
【請求項３】
前記繊細部と前記支持表面に接続した前記側部との間に、前記組立体は前記支持表面と前記コンポーネントとの間に延在する溝を設けることを特徴とする、請求項２記載の組立体。
【請求項４】
前記支持は前記溝を設けることを特徴とする、請求項３記載の組立体。
【請求項５】
前記繊細なエレメントは鏡であることを特徴とする、請求項１乃至４のうちいずれか一項に記載の組立体。
【請求項６】
前記鏡は前記支持表面に対して或る角度をなして延在することを特徴とする、請求項５記載の組立体。
【請求項７】
前記繊細なエレメントから離れた前記側部においてネジ又はばねにより印加された力を用いて、前記コンポーネントを基部に接続することを特徴とする、請求項１乃至６のうちいずれか一項に記載の組立体。
【請求項８】
請求項１乃至７のうちいずれか一項に記載の組立体を有する光学式再生装置。
【発明の詳細な説明】
【技術分野】
【０００１】
本発明は、繊細部を設けたコンポーネントを有する組立体に係り、当該コンポーネントは、コンポーネントを支持する細長い支持表面を備える基部に接続される。
【０００２】
本発明は更に、このような組立体を有する光学式再生装置にも係る。
【背景技術】
【０００３】
このような組立体の或る変形は、日本特許出願昭５９−２５５３７１号明細書（特許文献１）により周知である。この組立体は、比較的繊細なエレメント、特に光反射鏡を設けた光学コンポーネントを有する。当該光学コンポーネントは、基部に接続する。鏡は、光を約９０°の角度で反射する。コンポーネントが基部に対して移動してしまうことから防ぐため、基部の支持表面を背に位置するコンポーネントの表面は、たとえば、接着剤で上記支持表面に接続される。
【０００４】
しかしながら、たとえば、接着剤の収縮及び接着剤の量の差があることで、光学コンポーネント並びに鏡に力がかかる場合がある。鏡の光反射表面が、基部に対して所望の位置に配置されないことが原因である。繊細部もまた、力がかかることにより変形し得る。更に、基部及び光学コンポーネントの材料の膨張係数差及び温度差により、光学コンポーネントの光路が基部に対して一定でなくなる等、他の力の光学コンポーネントへの印加を引き起こす。
【特許文献１】日本特許出願昭５９−２５５３７１号明細書
【発明の開示】
【発明が解決しようとする課題】
【０００５】
本発明は、コンポーネントと繊細なエレメント上の基部との間の接続の影響を最小化する、組立体を提供することを目的とする。
【課題を解決するための手段】
【０００６】
本目的は、コンポーネントが繊細なエレメントから離れた側の支持表面にのみ接続されることにより、達成される。
【０００７】
コンポーネントは繊細なエレメントから離れた側の支持表面にのみ接続されるため、たとえば、接着剤の収縮、ねじ又はばねによって印加された力、温度差等、によって引き起こされた全ての力がコンポーネントの上記側部にのみかかり、繊細なエレメントの動きに影響を与えない。更に、コンポーネントは支持表面によって十分に支持されているので、コンポーネントを基部に対して位置させるのは比較的簡単である。
【０００８】
本発明による組立体の一実施形態は、上記コンポーネントを、接着剤によって上記基部に取り付けられることを特徴とする。
【０００９】
コンポーネントは、接着剤によって支持表面に容易に接続されることができる。
【００１０】
本発明による組立体の更なる実施形態は、上記繊細部と支持表面に接続された側との間に組立体が設けられ、組立体は、上記支持表面とコンポーネントとの間に延在する溝を設けることを特徴とする。
【００１１】
上記溝は、たとえば吸湿効果の影響下で、接着剤が上記繊細部から離れた側から上記繊細部近くの側部へ流れることを防ぐ。それによって、後者の側部が誤って支持表面に接続しないようにする。
【００１２】
別の本発明による組立体は、支持が溝を設けることを特徴とする。
【００１３】
光学コンポーネントが滑らかな外側表面を有することができるよう、支持表面にこのような溝を設けることは比較的簡単である。
【発明を実施するための最良の形態】
【００１４】
本発明を、図面を参照して以下に更に説明する。同様の参照番号が、同様の部品に用いられている。
【００１５】
図１は、本発明による組立体１の一例を示す。組立体１は、フレーム２とともに光学コンポーネント４のための基部３を有する。基部３は、細長い支持表面５を有する。当該支持表面５は、細長い光学コンポーネント４の円筒形状と同様の円筒形状を有する。第１の側部では、光学コンポーネント４は、該光学コンポーネント４の縦軸７に４５°の角度で延在する面取り縁６を設ける。面取り縁６は、方向Ｐ１から面取り縁６に入射された光が、方向Ｐ２に偏向されることによって、鏡として機能する。光学コンポーネント４の上記第１の側部から離れた第２の側部では、基部３は、光学コンポーネント４の第２の側部に配置された円筒形開口８を有する。開口８は、一方の側部を支持表面５によって結合される。光学コンポーネント４の第１の側部と第２の側部との間に、基部３は溝９を設ける。溝９は、支持表面５の遮断を形成する。光学コンポーネント４は、上記溝９近くの上記支持表面５によって支持されない。
【００１６】
光学コンポーネント４は、基部３の開口８に適用された接着剤によって、基部３に取り付けられる。溝９は、接着剤が支持表面５全体に沿って流れることを防ぐ。それによって、光学コンポーネント４は、比較的繊細な面取り縁６近くの基部３には接続されない。光学エレメント４は面取り縁６近くの基部３に接続されないため、面取り縁６が変形し得ることによって光学コンポーネントに不要な力又は応力が起こらない。このような応力は、光学コンポーネント４の面取り縁６から比較的遠く離れた第２の側部でのみ起こり得る。
【００１７】
図４は、本発明による光学式再生装置１１の一例を示す。光学式再生装置１１は、光ディスクを駆動させるモータ１３が取り付けられる、取付け板１２を有する。光学式再生装置１１は更に、レーザー１４等の発光コンポーネント、並びにレーザー１４の光路に配置された光学コンポーネント１５、１６、１７を有する。光学式再生装置１１は更に、取付け板１２に対して二重矢印Ｐ３によって示された方向に移動可能なスライド１８を設け、スライド１８は、本発明による組立体１を設ける。組立体１の光学コンポーネント４は、光学コンポーネント１５、１６、１７と同じ光路に配置される。光学式再生装置１１の動作中、レーザー光線がレーザー１４により放射され且つ光学コンポーネント１５、１６、１７及び光学コンポーネント４を通って光ディスクに向けられる間に、モータ１３によって光ディスクを回転させる。光ディスクにより反射された光は、それ自体で周知の方法で、反射されたレーザー光線が分析されるユニットに向けられる。
【００１８】
ネジ又はばね力によって、光学コンポーネント４を基部３に接続させることも可能である。この場合、溝９は不要であり、光学コンポーネント４は支持表面５全体に沿って支持されてもよい。
【００１９】
光学コンポーネントが支持されるＶ字型断面を備えた支持表面を設けることも可能である。
【００２０】
支持表面の代わりに光学コンポーネントに溝を設けることも可能である。
【００２１】
光学コンポーネントはその全長に沿って支持されているので、コンポーネントは容易に且つ正確に基部に対して整合することができる。
【図面の簡単な説明】
【００２２】
【図１】本発明による組立体の一実施形態の正面図である。
【図２】図１の組立体の線ＩＩ−ＩＩを取り出した、拡大断面図である。
【図３】図１の組立体の線ＩＩＩ−ＩＩＩを取り出した、拡大断面図である。
【図４】本発明による、組立体を設けた光学式再生装置の概略図である。
【図１】
2007513449.tif 000003
【図２】
2007513449.tif 000004
【図３】
2007513449.tif 000005
【図４】
2007513449.tif 000006
【国際調査報告】
2007513449.tif 000007
2007513449.tif 000008
2007513449.tif 000009